(57)【要約】【課題】少量生産の簡易な炭焼き窯において、焼きムラの無い均一な品質の炭を製造できるようにする。【解決手段】基板１０の中央には垂直に起立した加熱筒１１が形成されている。加熱筒１１の周囲は、なだらかに下方に湾曲した湾曲部１３が形成されている。基板１０の上部には、外側から外窯２０、内窯３０及び煙突部４０がそれぞれ所定間隔で配置されている。外窯２０の頂部には、排気筒２２が形成されている。外窯２０と内窯３０との間の空間が煙道５０となっており、この煙道５０と前記排気孔２３が連通している。煙突部４０の下端部が基板１０の加熱筒１１の外側に着脱自在に嵌りこんでいる。内窯３０と煙突部４０との間の空間が、炭の原料となる竹材等を収納する炭焼き部６０となっており、この炭焼き部６０は前記煙道５０と下端において連通している。炭焼き部６０と煙突部４０が連通している。【選択図】        図１
2004250475.tif 000002
【特許請求の範囲】
【請求項１】
加熱用開口が形成された基板と、この基板上に着脱自在に設けられ下面が開口した外窯と、この外窯の内部において基板上に着脱自在に設けられ下面が開口した内窯と、この内窯の内部において基板の加熱用開口と連通するように設けられた筒状の煙突部とからなり、前記外窯の頂部に形成された排気孔と、前記外窯と内窯との間に形成され排気孔と連通する煙道と、前記内窯と煙突部との間に形成され煙道と連通する炭焼部とを有することを特徴とする炭焼き窯。
【請求項２】
前記外窯及び内窯の上部が、略半球状に形成されている請求項１記載の炭焼き窯。
【請求項３】
前記基板が、周縁に行くにしたがって下方になるように湾曲して形成されている請求項１又は２記載の炭焼き窯。
【発明の詳細な説明】
【０００１】
【発明の属する技術分野】
本発明は、簡単な構造であって、焼きムラの無い均一な品質の炭を製造することができる炭焼き窯に関するものである。
【０００２】
【従来の技術】
近年、竹炭の持つ消臭作用、水の浄水作用等が着目され、炊飯、飲料水、入浴等の各種用途に竹炭が用いられるようになって来た。竹炭を製造するには、通常、木炭と同様な耐火煉瓦等で構築された炭焼き窯を利用して行なわれている。
【０００３】
ところで、竹炭が広く用いられるようになるにしたがって、個人的に竹炭を製造したいという要望があった。しかしながら、従来の炭焼き窯は商業的で大規模であり、個人的に少量製造するには適さなかった。したがって、従来、簡易な構造で、少量でも竹炭を製造することができる炭焼き窯が要望されていた。
【０００４】
従来、このような炭焼き窯としては、上面が開口した窯本体に上面が膨らんだ天蓋が開閉可能に設けられ、窯本体の前部に加熱室が設置されるとともに、窯本体の後部に煙突が設けられた竹炭焼き用鉄窯が提案されている（例えば、特許文献１参照）。また、開閉扉と排煙通路を有する炭焼き窯部と、炭焼き窯部の毛塗りを排出する排煙処理部と、炭焼き窯部の内部に設けられた収容棚とを有する炭製造装置が提案されている（例えば、特許文献２参照）。
【０００５】
【特許文献１】
特開平１０−１１０１７２
【特許文献２】
特開２０００−３１９６６２
【発明が解決しようとする課題】
しかしながら、上述した従来の炭焼き窯及び炭製造装置は、窯の内部が均一な高温にならず、その結果、焼きムラが生じ、均一な品質の炭を製造することができなかった。
【０００６】
本発明は、以上の問題点を解決し、簡単な構造であって、窯の内部を均一な高温にすることができ、焼きムラの無い均一な品質の炭を製造することができる炭焼き窯を提供することを目的とする
【課題を解決するための手段】
本発明による炭焼き窯は、加熱用開口が形成された基板と、この基板上に着脱自在に設けられ下面が開口した外窯と、この外窯の内部において基板上に着脱自在に設けられ下面が開口した内窯と、この内窯の内部において基板の加熱用開口と連通するように設けられた筒状の煙突部とからなり、前記外窯の頂部に形成された排気孔と、前記外窯と内窯との間に形成され排気孔と連通する煙道と、前記内窯と煙突部との間に形成され煙道と連通する炭焼部とを有することを特徴として構成されている。
【０００７】
本発明の炭焼き窯においては、別途用意した加熱用熱源で加熱する。この加熱用熱源から発生した熱風は、加熱用開口を介して煙突部に入り込み、さらに、炭焼き部及び煙道を通って排気孔から外部へ排出される。この熱風の通過の過程において、煙突部、内窯及び外窯が加熱される。したがって、炭焼き部に収納された原材料は、炭焼き部を通過する熱風で加熱されるとともに、周囲の煙突部及び内窯によっても加熱される。その結果、原材料は、高温で、かつ均一に加熱され、焼きムラ等の無い均一な品質の炭を得ることができる。また、炭焼き部の外側には煙道が形成されているので、炭焼き部の温度が低下するのを防止している。
【０００８】
【発明の実施の形態】
本発明による炭焼き窯は、基板に着脱自在に設けられる外窯、内窯を有しており、煙突部は着脱自在であっても基板に固定されたものであってもよいが、着脱自在であることが好ましい。また、外窯、内窯及び煙突部は、それぞれ独立に形成しても、外窯と内窯、内窯と煙突部、外窯と内窯と煙突部とを一体に形成してもよい。
【０００９】
外窯と内窯は、その上部を半球状に形成することが好ましい。このように半球状に形成することにより、熱風を均一かつ円滑に流れるようにできる。また、基板は、周縁に行くにしたがって下方になるように湾曲して形成することが好ましい。このように形成することにより、乾留液の回収作業を円滑に行なうことができる。
【００１０】
本発明による炭焼き窯は、木炭、竹炭等、特に限定されないが、竹炭に好適なものである。
【００１１】
本発明による炭焼き窯の一実施形態を図面を参照して説明する。
【００１２】
図１は炭焼き窯の縦断面図、図２は図１中Ａ−Ａ線断面図である。
【００１３】
これらの図において、１０は地面等に設置される基板で、この基板１０は略円盤状に形成されている。基板１０の中央には垂直に起立した加熱筒１１が形成され、この加熱筒１１は上下に貫通して加熱用開口１２が形成されている。加熱筒１１の周囲は、なだらかに下方に湾曲した湾曲部１３が形成されており、この湾曲部１３の周縁に、接地されるとともに後述する外窯が載置される周縁部１４が形成されている。
【００１４】
基板１０の上部には、外側から外窯２０、内窯３０及び煙突部４０がそれぞれ所定間隔で配置されている。外窯２０は、下面が開口するとともに、上面が半球状に形成された略円筒状に形成されており、下端には前記周縁部１４に載置させる設置片２１が形成されている。また、外窯２０の頂部には、排気筒２２が形成されて排気孔２３となっている。
【００１５】
外窯２０の内側には所定間隔を隔てて内窯３０が配置されており、この外窯２０と内窯３０とは、鉄筋からなる連結材３１により一体に固着されている。この内窯３０は、下面が開口するとともに、上面が半球状に形成された略円筒状に形成されており、すなわち、外窯２０より半径が短い略相似形に形成されている。そして、外窯２０と内窯３０との間の空間が煙道５０となっており、この煙道５０と前記排気孔２３が連通している。
【００１６】
内窯３０の内側には所定間隔を隔てて煙突部４０が配置されており、この煙突部４０は円筒状に形成されており、その下端部が基板１０の加熱筒１１の外側に着脱自在に嵌りこんでいる。そして、内窯３０と煙突部４０との間の空間が、炭の原料となる竹材等を収納する炭焼き部６０となっており、この炭焼き部６０は前記煙道５０と下端において連通している。また、煙突部４０の上端は、内窯３０の上端より所定長さ低い位置になるように設定されているので、炭焼き部６０と煙突部４０が連通している。なお、内窯３０と煙突部４０とは、２枚の連結板４１により一体に固定されている。したがって、外窯２０、内窯３０及び煙突部４０は一体となっている。
【００１７】
以上のような炭焼き窯で竹炭を製造する方法に付いて説明する。まず、炭焼き窯を組み立てる。基板１０を加熱用熱源７０の上方にブロック等からなる土台８０を介して設置する。次に、外窯２０、内窯３０及び煙突部４０を、煙突部４０が加熱筒１１の外側に嵌り込むようにして、設置片２１が周縁部１４に当接するように基板１０上に設置する。また、この時、竹材９０を炭焼き部６０に収納している。以上で、炭焼き窯組立て及び原料となる竹材の収納作業が終了した。
【００１８】
次に、加熱用熱源７０から熱を供給する。加熱用熱源７０から発生した熱風は、加熱筒１１を介して煙突部４０に入り込み、煙突部４０を加熱しつつ炭焼き部６０に流入し、内窯３０を加熱しつつ収納されている竹材９０を加熱する。そして、この熱風は炭焼き部６０から煙道５０に流れ、内窯３０及び外窯２０を加熱しつつ上昇して、排気筒２２から外部へ排出される。
【００１９】
したがって、炭焼き部６０に収納された竹材９０は、熱風により加熱されるとともに、煙突部４０及び内窯３０により加熱されるので、短時間で、かつ均一に高温加熱されることとなる。また、炭焼き部６０の外側には煙道５０が設けられているので、炭焼き部６０の熱が逃げるのを防止している。その結果、竹材９０は均一に加熱され焼けムラが生じることが無い。
【００２０】
また、竹炭の製造に伴って乾留液が生成されるが、この乾留液は、基板１０の湾曲部１３表面を周縁部１４方向へ流れ落ちていき、所定の容器にて回収される。
【００２１】
次に、本発明による炭焼き窯のより具体的な実施例について説明する。
【００２２】
上述した図１及び図２に示す炭焼き窯を用いた。この炭焼き窯は、外窯２０の内径＝３６５ｍｍ、内窯３０の内径＝３１５ｍｍ、煙突部４０の内直＝８０ｍｍ、外窯の高さ＝７００ｍｍ、内窯３０の高さ＝６０ｍｍ、煙突部４０の高さ＝５５ｍｍであった。
【００２３】
そして竹材９０を１６ｋｇ収納し、加熱用熱源７０として、ＬＰＧを用い、約２時間加熱した。
【００２４】
その結果、焼きムラの無い竹炭を約４ｋｇ得ることができ、また、乾留液を約４０００ｃｃ得ることができた。
【００２５】
【発明の効果】
本発明は以上のように構成したので、炭となる原材料を短時間で高温かつ均一に加熱することができるので、焼きムラの無い均一な品質の炭を製造することができる。
【図面の簡単な説明】
【図１】本発明による炭焼き窯の一実施形態の縦断面図である。
【図２】図１中、Ａ−Ａ線断面図である。
【符号の説明】
１０…基板
１２…加熱用開口
２０…外窯
２３…排気孔
３０…内窯
４０…煙突部
５０…煙道
６０…炭焼き部
７０…加熱用熱源
８０…土台
９０…竹
【図１】
2004250475.tif 000003
【図２】
2004250475.tif 000004